(57)【要約】【課題】本発明は、嵌込み式とねじ式のコード口の双方で使用可能な兼用形のコードブシュを提供する。【解決手段】本発明のコードブシュは、コード口１３，２０に差込み可能な差込み部３と、差込み部３の後端部のフランジ４と、差込み部３の全長に渡り形成されたコード挿通路３ａとを有する弾性変形可能なブシュ本体２を有し、このブシュ本体２の差込み部３の先端側の外周面にねじ込み装着用のおねじ部６を設け、おねじ部６に続いて差込み部３の後端側の外周部分に嵌合装着用の環状溝８を設けた構成を採用した。これにより、一種類のコードブシュで、嵌込み式のコード口１２でも、ねじ式のコード口１７でもシールが行なえるようにした。【選択図】    図２
2006156094.tif 000002
【特許請求の範囲】
【請求項１】
コードが挿通するコード口に対して差込み可能な差込み部と、該差込み部の後端部に形成され前記コード口の開口縁と密接可能なフランジと、前記差込み部の全長に渡り形成され前記コードをシールしながら挿通させるためのコード挿通路とを有する弾性変形可能なブシュ本体と、
前記差込み部の外周面に形成された、ねじ込み装着用のおねじ部と、
前記おねじ部に続いて前記差込み部の後端側の外周部分に形成された嵌合装着用の環状溝と
を具備することを特徴とするコードブシュ。
【請求項２】
前記環状溝は、前記おねじ部の後端部から前記フランジの側面までの差込み部の外周部分を前記おねじ部の谷径以下の径寸法に段差させた環状の溝で形成されることを特徴とする請求項１に記載のコードブシュ。
【請求項３】
前記コード挿通路の内周面には、前記ブシュ本体が前記コード口に装着されるにしたがい前記コードの外周面と密接する環状突起を有することを特徴とする請求項１または請求項２に記載のコードブシュ。
【請求項４】
前記ブシュ本体は、ゴム製であることを特徴とする請求項１に記載のコードブシュ。
【発明の詳細な説明】
【技術分野】
【０００１】
本発明は、機器のコード口から導出するコードのシールを行なうコードブシュに関する。
【背景技術】
【０００２】
屋外に設置される制御盤では、筐体から外部へ導出するコードで、外部機器と接続することが行なわれている。
【０００３】
通常、屋外に設置される制御盤では、コードを伝わって、水などが機器内部へ浸入しないよう、コードの外周面とコード口の開口縁との間の隙間をコードブシュで埋めて、水滴が外部から内部へ侵入しないように措置している（防水、防滴）。
【０００４】
具体的には、図７に示されるように多くのコードブシュａは、板金製の筐体ｂの一部に形成されたコード口ｃをシールするために、中心部にコード挿通路ｄを有し、外周面に環状溝ｅを有する環状のブシュ本体ｆを用いている。つまり、図７に示されるようにコードブシュａは、ブシュ本体ｆをコードｇに挿通させた後、同ブシュ本体ｆの環状溝ｅをコード口ｃの開口縁に嵌め込めば、コード口ｃ内のコードｇとコード口ｃの開口縁との間がシールされる構造となっている。
【０００５】
ところで、近時、コード口は、壁状部材（板金部材）の通孔で形成されるような嵌込み（嵌合）式でなく、筒形部材から形成される場合も出てきた。この筒形部材の多くは、内面にめねじ部が形成された配線用管部材を用いられる。このねじ式のコード口の場合、コードブシュは、上記コードブシュとは異なる部品、すなわち配線用管部材（筒形部材）のめねじ部と組み合うおねじ部が外周部に形成された専用のコードブシュを採用して、コードとコード口との間の隙間をシールする。
【発明の開示】
【発明が解決しようとする課題】
【０００６】
ところで、コードブシュの装着が求められる装置、例えば給水装置は、多くの機器の組み合わせから構成されるため、形式の異なる嵌込み式やねじ式のコード口が混在する。特に屋外に設置される給水装置は、ねじ式のコード口をもつ端子箱が装備されている各種モータ（給水ポンプを駆動するもの）や、嵌込み（嵌合）式のコード口をもつ各種制御盤（給水ポンプ制御するもの）などを組み合わせた構造が用いられるので、種類の異なるコード口が多く存在しやすい。
【０００７】
またコードブシュの装着が求められる機器は、こうした混在する場合に限らず、嵌込み式のコードブシュだけが用いられる機器であったり、ねじ式のコードブシュだけが用いられる機器であったりする。
【０００８】
ところが、専用のコードブシュは、二種類のコード口形状に対する汎用性がない。このため、コードブシュの管理が面倒になる問題がある。
【０００９】
そこで、本発明の目的は、嵌込み（嵌合）式とねじ式のコード口の双方で使用可能な兼用形のコードブシュを提供することにある。
【課題を解決するための手段】
【００１０】
請求項１に記載の発明は、上記目的を達成するために、コード口に差込み可能な差込み部と、該差込み部の後端部に形成されたフランジと、差込み部の全長に渡り形成され、コードをシールしながら挿通させるコード挿通路とを有する弾性変形可能なブシュ本体を設け、この差込み部の外周面にねじ込み装着用のおねじ部を設け、おねじ部に続いて差込み部の後端側の外周部分に嵌合装着用の環状溝を設けた。
【００１１】
同構成により、嵌込み式（通孔式）のコード口をシールするときは、コードをブシュ本体のコード挿通路に挿通させて、その状態から、コード口へ差込み部を、環状溝がコード口の開口縁と嵌り合うまで、差込めばよい。これにより、フランジの側面は、コード口の開口縁と密接され、コード挿通路でのコードのシールと合わせて、コードの外周面とコード口の開口縁との間がシールされる。
【００１２】
またねじ式（ねじ孔式）のコード口をシールするときは、コードをブシュ本体のコード挿通路に挿通させて、その状態から、コード口へ差込み部を、フランジがコード口の開口縁と突き当たるまで、ねじ込めばよい。すると、フランジの側面は、コード口の開口縁と密接され、コード挿通路でのコードのシールと合わせて、コードの外周面とコード口の開口縁との間がシールされる。
【００１３】
請求項２に記載の発明は、上記目的に加え、確実にコードブシュがコード口の開口端で固定されるよう、環状溝は、おねじ部の後端部からフランジの側面までの差込み部の外周部分をおねじ部の谷径以下の径寸法に段差させた環状の溝で形成した。
【００１４】
請求項３に記載の発明は、上記目的に加え、たとえコード挿通路でのシール性が不十分になったとしても、コード挿通路を通じた水の浸入が阻止されるよう、コード挿通路の壁面には、ブシュ本体がコード口に装着されるにしたがいコードの外周面と密接する環状突起を形成する構成を採用した。
【００１５】
請求項４に記載の発明は、上記目的に加え、高い弾性と高い絶縁性との双方が確保されるよう、ブシュ本体はゴム製とした。
【発明の効果】
【００１６】
請求項１に記載の発明によれば、コード口が、嵌込み式（通孔式）でも、ねじ式（ねじ孔式）でも、一種類のコードブシュで、それぞれのコード口をシールすることができる。
【００１７】
したがって、コードブシュは、嵌込み式とねじ式のコード口の双方で兼用でき、コード口に形状に応じてコードブシュを用意する手間は不要となり、コードブシュの管理が容易となる。
【００１８】
請求項２に記載の発明によれば、上記効果に加え、嵌込み式のコード口に使用する場合、十分にコードブシュの支持剛性が確保される。
【００１９】
請求項３に記載の発明によれば、上記効果に加え、環状突起がもたらすシール性により、ブシュ本体内部を通じた水の浸入を確実に防げる。
【００２０】
請求項４に記載の発明によれば、上記効果に加え、容易にコードブシュに求められるコード口に対する装着性（装着のしやすさ）や絶縁性を確保することができる。
【発明を実施するための最良の形態】
【００２１】
［一実施形態］
以下、本発明を図１〜図６に示す一実施形態にもとづいて説明する。
【００２２】
図１はコードブシュ１の全体の外観を示し、図２は同ブシュ１の断面図を示している。
【００２３】
これら図１，２中２は、コードブシュ１の本体（本願のブシュ本体に相当）を示す。同本体２の全体は、弾性変形可能な部材、具体的には弾性だけでなく絶縁性を備えた部材、例えばゴム部材から形成されていている（ゴム製）。この本体２は、短筒状の差込み部３とフランジ４とを組み合わせた構造が用いられている。
【００２４】
このうち差込み部３は、図１および図２に示されるように短筒状に成形されている。この差込み部３の外形は、後で詳述するように例えば図３に示されるような制御盤１０の板金製の筐体１１の壁面に形成された嵌込み（嵌合）式のコード口１２や、例えば図５に示されるような電動モータ１５の端子箱１６の壁部に形成されたねじ式（ねじ孔式）のコード口１７に差込み可能な形状に形成してある。ここでは、例えば嵌込み式のコード口１２としては、筐体１１の壁部を形成する板金部材１１ａに形成された通孔からなり、同通孔を通じてコード１３が筐体１１から外部へ導出するコード口構造を想定している。ねじ式のコード口１７としては、端子箱１６の壁部から突き出る筒形部材、詳しくは内周面にめねじ部１８を有する筒形部材１９からなり、同筒形部材１９内を通じてコード２０が端子箱１６から外部へ導出するコード口構造を想定している。
【００２５】
また差込み部３内には、軸心を貫く貫通空間を用いて、コード、すなわちコード１３やコード２０が挿通可能なコード挿通路３ａが形成されている。なお、このコード挿通路３ａの通路径は、コード径より、若干、大きく定めてある（例えばコード外周面とコード挿通路３ａの壁面との間で隙間が生じる程度）。このコード挿通路３ａを形成する壁面には、複数個所、例えば前後二個所の地点に、環状の突起９（本願の環状突起に相当）が形成されている。各突起９の高さ寸法は、例えばコード外周面に若干摺接するか、コード外周面から離れるという、コード移動を妨げない大きさに定めてある。また各突起９は、コード挿通路３ａの径が、差込み部３の周囲から加わる力により縮むにしたがい、コード挿通路３ａを挿通するコード外周面と密接するようになっている。つまり、各突起９にて、コード挿通路３ａ内に挿通されるコード１３やコード２０の周りがシールされるようにしてある。
【００２６】
差込み部３の後端外周には、図１および図５に示されるようにフランジ４が形成してある。これにより、コードブシュ１は、コード口１２やコード口１７へ差込み部３が差し込まれると、フランジ４がコード口１２，１７の周りの壁面部分（開口縁部）と密接されるようにしてある。
【００２７】
また差込み部３の外周面には、図１および図２に示されるように先端部から後端部付近までおねじ５が形成されている。おねじ５は、図５に示されるねじ式コード口１７のめねじ部１８と組合うねじ山および長さで形成されている。このおねじ５が形成されている領域から、コード口１７へねじ込める部分、すなわちねじ込み装着用のおねじ部６を形成している。またおねじ部６のねじ径は、例えばコード口１７のめねじ部１８のねじ径より、若干、大きくしてあり、差込み部３がコード口１７へねじ込まれると、差込み部３には、コード挿通路３ａを縮径させる方向、すなわち突起９がコード２０と密接させる方向の変形が与えられるようにしてある。
【００２８】
図１および図２に示されるように差込み部３の後部外周面には、おねじ部６の後端部から続いて、環状の溝７が形成されている。この溝７は、おねじ部６の後端部からフランジ４の内側に向いた側面４ａまでの外周部分に形成されている。つまり、溝７は、おねじ部６の後端部とフランジ４の側面４ａをそれぞれ壁面とした溝構造で形成される。この溝７は、おねじ５の谷径以下の径寸法で段差させて形成されている。この規定を保ちつつ溝７の径は、例えばコード口１２より、若干、大きな径にしてある。また溝７の幅寸法は、嵌込み式のコード口１２の通孔長さ、具体的には開口縁を形成する板金部材の厚み寸法に対応させてある。
【００２９】
こうした溝７から、おねじ部６の後端側に、コード口１２の開口縁へ嵌込める部分、すなわち嵌合装着用の環状溝８を形成している。また同溝８により、差込み部３がコード口１２へ嵌込まれると、差込み部３には、コード挿通路３ａを縮径させる方向、すなわち突起９がコード２０と密接する方向の変形が与えられるようにしてある。
【００３０】
また図１および図２に示されるようにコード挿通路３ａのフランジ４側の開口縁には、コード１３，２０との間でシールする構造として、例えば内方（軸心の近く）へ張り出すシール用のリップ部９ａが形成されている。このリップ部９ａは、大きな変形量が確保されるよう、環状の薄肉部で形成されている。このリップ部９ａの弾性変形を利用して、コード１３，２０のような種類や大きさが異なるコードでも、コード挿通路３ａ内に各種コード１３，２０が挿通されると、コード外周面と接触するようにしてある。これで、コードの種類や大きさにかかわらず、コード挿通路３ａ内に挿通される各種コードとの間でシールが続けられるようにしている。
【００３１】
このような構造により、コードブシュ１は、嵌込み式のコード口１２、ねじ式のコード口１７の双方で使用可能な兼用形としている。
【００３２】
つぎに、このコードブシュ１の取り扱い方を説明する。今、コードブシュ１を用いて、図３に示されるように嵌込み式のコード口１２から導出するコード１３をシールするとする。
【００３３】
このときは、まず、図３（ｂ）に示されるようにコードブシュ１のコード挿通路３ａに、コード口１２から導出したコード１３を挿通させる。このとき、リップ部９ａがコード部１３の外周面に接しているだけで、突起９はコード１３に影響を与えていないから、コードブシュ１は、リップ部９ａでコード１３との間の隙間が覆われたまま、コード１３上を自由に移動できる状態にある。
【００３４】
ついで、同状態から、コードブシュ１をコード口１２へ移動（ずらし）させて、コードブシュ１の差込み部３をコード口１２へ導く。そして、同差込み部３の先端部をコード口１２内へ押し込む（差込み）。このとき、差込み部３の径は、コード口１２の開口より大きいが、差込み部３は、弾性を有する部材（弾性部材）、例えばゴム部材で形成されているから、差込み部３の外周部は、コード口１２の開口縁との干渉にしたがい、同部分が変形（おねじ部６を含む）しながら、コード口１２の開口へ挿入される。つまり、差込み部３は、次第に先端部から筐体１１内へ差込まれる。そして、図３（ａ）に示されるようにフランジ４の側面４ａが筐体１１の外壁面に突き当たるまで、差込み部３が差し込まれるにしたがい、図４に示されるようにコード口１２の開口端を形成している壁部分が環状溝８内に嵌り合う。これにより、コードブシュ１は、同地点に固定される。
【００３５】
このようにして固定されたコードブシュ１のフランジ４の側面４ａは、図４に示されるようにコード口１２の周囲の外壁面部分（開口縁）と密接される。また環状の各突起９は、コード口１２の開口縁と環状溝８とが嵌合うときに生じるコード挿通路３ａの縮径方向の変位を受けて、コード１３の外周面と弾性的に密接される（突起９の弾性変形：有）。
【００３６】
これで、コード口１２周りはフランジ４によりシールが施され、コード１３周りはリップ部９ａおよび突起９によりにシールが施される。
【００３７】
これにより、コードブシュ１で、嵌込み式のコード口１２におけるシール、すなわちコード１３の外周面とコード口１２の開口縁との間がシールできる（防滴または防水の付与）。
【００３８】
また、同コードブシュ１を用いて、図５に示されるようにねじ式のコード口１７から導出するコード２０をシールするとする。
【００３９】
このときは、まず、図５（ｂ）に示されるようにコードブシュ１のコード挿通路３ａに、コード口１７から導出したコード２０を挿通させる。このとき、嵌込み式のときと同様、リップ部９ａがコード部１３の外周面に接しているだけで、突起９はコード２０に影響を与えていないから、コードブシュ１は、リップ部９ａでコード１３との間の隙間が覆われたまま、コード２０上を自由に移動できる状態にある。
【００４０】
この後、同状態から、コードブシュ１をコード口１７へ移動（ずらし）させて、コードブシュ１の差込み部３をコード口１７へ導く。そして、同差込み部３を先端部から、コード口１７内へねじ込む。これにより、差込み部３は、おねじ部６とめねじ部１８との噛み合いにしたがい、筒形部材１９内へ差し込まれる。
【００４１】
このとき、おねじ部６のねじ径は、めねじ部１８のねじ径より、若干、大きくしてあるから、ゴム部材で形成された差込み部３は、おねじ部６とめねじ部１８との噛み合いにしたがい、コード挿通路３ａを狭める方向（縮径）に変形される。この挙動により、コード挿通路３ａの内面に有る各突起９は、コード２０の外周面に弾性的に密接していく（突起９の弾性変形：有）。
【００４２】
コードブシュ１は、図６に示されるようにフランジ４の側面４ａが筒形部材１９の端面（コード口１７の開口縁）に突き当たるまで、差込み部３がねじ込まれると、コード口１２に固定される。
【００４３】
このようにして固定されたコードブシュ１のフランジ４の側面４ａは、図６に示されるようにコード口１２の周囲の外壁面部分（開口縁）と密接する。また環状の各突起９は、差込み部３のおねじ部５がコード口１７のめねじ部１８と噛み合うときに生じるコード挿通路３ａの縮径方向の変位を受けて、コード２０の外周面と弾性的に密接される（突起９の弾性変形：有）。
【００４４】
これで、先の嵌込み式と同様、コード口１２周りはフランジ４によりシールが施され、コード２０周りはリップ部９ａおよび突起９によりシールが施される。
【００４５】
これにより、コードブシュ１で、ねじ式のコード口１７におけるシール、すなわちコード２０の外周面とコード口１７の開口縁との間がシールできる（防滴または防水の付与）。
【００４６】
かくして、一種類のコードブシュ１だけで、嵌込み（嵌合）式（通孔式）のコード口１２やねじ式（ねじ孔式）のコード口１７のシールができる。
【００４７】
それ故、従来のようなコード口の形状に応じてコードブシュを個々に用意する手間は不要となるから、容易にコードブシュ管理ができる。特に嵌込み式のコード口１２、ねじ式のコード口１７が混在する装置（例えばモータや制御盤などの機器を組み合わせて構成される給水装置など）には有効である。しかも、コードブシュ１はゴム製なので、弾性変形を利用して、容易にコード口１２やコード口１７に組み付けることができる。そのうえ、ゴム部材は、絶縁性にも優れた性質をもつから、電気的な安全性にも優れる。
【００４８】
またコードブシュ１の環状溝８には、おねじ部６の谷径以下に段差させた溝が用いられているので、嵌込み式のコード口１２にコードブシュ１を組み付けるに際しては、確実にコード口１２の開口縁と嵌合ができ、十分なコードブシュ１の支持剛性が確保できる。
【００４９】
加えて、コード挿通路３ａ内には、差込み部３がコード口１２，１７に装着されるにしたがい、コード外面と密接する環状突起９を形成したので、たとえコード挿通路３ａがもたらすシール性、ここではリップ部９ａでのシール性が不十分になったとしても、コード挿通路３ａを通じる水の浸入が阻止できる。
【００５０】
なお、本発明は上述した一実施形態に限定されるものではなく、本発明の主旨を逸脱しない範囲内で種々変更して実施しても構わない。例えば一実施形態では、制御盤の筐体壁面に形成された嵌込み式のコード口、モータの端子箱に形成されたねじ式のコード口の装着に好適なコードブシュを一例に挙げたが、これに限らず、他の機器の嵌込み式のコード口やねじ式のコード口に兼用なコードブシュでもよいことはいうまでもない。
【図面の簡単な説明】
【００５１】
【図１】は本発明の一実施形態に係るコードブシュを、同ブシュを挿通するコードと共に示す斜視図。
【図２】コードブシュの一部断面した側面図。
【図３】筐体に形成された嵌込み式のコード口から導出するコードをコードブシュでシールするときを説明する斜視図。
【図４】図３中のＢ〜矢視に沿う断面図。
【図５】端子箱に形成されたねじ式のコード口から導出するコードをコードブシュでシールするときを説明する斜視図。
【図６】図５中のＣ〜矢視に沿う断面図。
【図７】従来のコードブシュを示す断面図。
【符号の説明】
【００５２】
１…コードブシュ、２…本体（ブシュ本体）、３…差込み部、３ａ…コード挿通路、４…フランジ、６…おねじ部、８…環状溝、９…環状突起、９ａ…リップ部、１２…嵌込み式のコード口、１３，２０…コード、１７…ねじ式のコード口。
【図１】
2006156094.tif 000003
【図２】
2006156094.tif 000004
【図３】
2006156094.tif 000005
【図４】
2006156094.tif 000006
【図５】
2006156094.tif 000007
【図６】
2006156094.tif 000008
【図７】
2006156094.tif 000009